(57)【特許請求の範囲】
【請求項１】
被写体を撮影する撮影手段と、
該撮影手段から被写体までの距離を計測する距離計測手段と、
前記撮影手段の撮影レンズ画角と被写体までの距離に基づいて実物大表示するための画像全体の表示サイズを計算する表示サイズ計算手段と、
前記計算された実物大表示するための画像全体の画像表示サイズを画像情報と合わせて記録する画像記録手段と、
前記撮影手段によって撮影された画像を前記計算された実物大表示サイズで表示する画像表示手段とを具備することを特徴とする実物大画像入出力装置。
【請求項２】
被写体を撮影する撮影手段と、
撮影手段で撮影された画像を記録する画像記録手段と、
表示される画像全体の表示サイズをユーザの操作で調整する表示サイズ調整手段とを備えた実物大画像入出力装置であって、
大きさが既知の標準物体の画像を表示し、それが実物大に見えるようにユーザに前記表示サイズ調整手段にて調整させた場合の画像全体の表示サイズと、前記標準物体を真に実物大に表示する画像全体の表示サイズとの比率をユーザ毎にユーザ固有パラメータとして求め、記録するユーザ固有パラメータ記録手段と、
撮影者が調整した画像全体の表示サイズを、該撮影者のユーザ固有パラメータで除し、観察者のユーザ固有パラメータを乗ずることにより、画像全体の表示サイズを補正する補正表示サイズ算出手段とを有し、前記補正された画像全体の表示サイズにて画像を表示することを特徴とする実物大画像入出力装置。
【請求項３】
被写体を撮影する撮影過程と、
該撮影過程から被写体までの距離を計測する距離計測過程と、
前記撮影過程の撮影レンズ画角と被写体までの距離に基づいて実物大表示するための画像全体の表示サイズを計算する表示サイズ計算過程と、
前記計算された実物大表示するための画像全体の画像表示サイズを画像情報と合わせて記録する画像記録過程と、
前記撮影過程によって撮影された画像を前記計算された実物大表示サイズで表示する画像表示過程とを具備することを特徴とする実物大画像入出力方法。
【請求項４】
被写体を撮影する撮影手段と、
撮影過程で撮影された画像を記録する画像記録手段と、
表示される画像全体の表示サイズをユーザの操作で調整する表示サイズ調整手段とを備えた実物大画像入出力装置における実物大画像入出力方法であって、
大きさが既知の標準物体の画像を表示し、それが実物大に見えるようにユーザに前記表示サイズ調整過程にて調整させた場合の画像全体の表示サイズと、前記標準物体を真に実物大に表示する画像全体の表示サイズとの比率をユーザ毎にユーザ固有パラメータとして求め、記録するユーザ固有パラメータ記録過程と、
撮影者が調整した画像全体の表示サイズを、該撮影者のユーザ固有パラメータで除し、観察者のユーザ固有パラメータを乗ずることにより、画像全体の表示サイズを補正する補正表示サイズ算出過程とを有し、前記補正された画像全体の表示サイズにて画像を表示することを特徴とする実物大画像入出力方法。
【請求項５】
前記請求項３に記載の実物大画像入出力方法の処理手順をコンピュータに実行させるためのプログラムを記録した記録媒体であって、
被写体を撮影する撮影手順と、
該撮影手順から被写体までの距離を計測する距離計測手順と、
前記撮影手順の撮影レンズ画角と被写体までの距離に基づいて実物大表示するための画像全体の表示サイズを計算する表示サイズ計算手順と、
前記計算された実物大表示するための画像全体の画像表示サイズを画像情報と合わせて記録する画像記録手順と、
前記撮影手順によって撮影された画像を前記計算された実物大表示サイズで表示する画像表示手順とをコンピュータに実行させるためのプログラムを記録した記録媒体。
【請求項６】
前記請求項４に記載の実物大画像入出力方法の処理手順をコンピュータに実行させるためのプログラムを記録した記録媒体であって、
大きさが既知の標準物体の画像を表示し、それが実物大に見えるようにユーザに前記表示サイズ調整過程にて調整させた場合の画像全体の表示サイズと、前記標準物体を真に実物大に表示する画像全体の表示サイズとの比率をユーザ毎にユーザ固有パラメータとして求め、記録するユーザ固有パラメータ記録手順と、
撮影者が調整した画像全体の表示サイズを、該撮影者のユーザ固有パラメータで除し、観察者のユーザ固有パラメータを乗ずることにより、画像全体の表示サイズを補正する補正表示サイズ算出手順とをコンピュータに実行させるためのプログラムを記録した記録媒体。
【発明の詳細な説明】
【０００１】
【産業上の利用分野】
本発明は、画像を撮影して表示する画像表示装置に関し、例えば、写真やビデオのように撮影して記録媒体に保存した後で再生表示する画像表示装置、あるいは画像通信会議のように撮影した画像を通信回線を介して受信者に伝送し実時間で表示する画像表示装置に適用して有効な技術に関するものである。特に、実物大画像入出力装置ならびにその実物大画像入出力装置における画像の記録方法及びその方法の各手順をコンピュータに実行させるためのプログラムを記録した記録媒体に関するものである。
【０００２】
【従来の技術】
画像を撮影する手段としては、写真機、映画撮影機、ビデオカメラなどの装置が一般に広く用いられている。これらの装置は、レンズを用いることにより、巨大な被写体でも、微細な被写体でも、撮影フィルムまたは撮影素子の上の限られた面積の上に投影し記録することができる。また、記録された画像は、表示する際に用いる表示装置の表示面の大きさに合わせて拡大、または縮小されて表示されるので、巨大な被写体でも微細な被写体でも限られた表示面の上に表示することができる。また、デジタル画像処理を用いることにより、画像の大きさを様々に変更して表示することも可能である。
【０００３】
また、製品の広告などで当該製品の大きさを示すために用いられる実物大写真を製作する技術がある。一般には、製品等の大きさが分かっているので、その大きさになるように写真を拡大又は縮小することにより実物大写真が製作される。
【０００４】
また、被写体を画像として記録し、実物大で表示する技術がある。例えば、実物大写真などでは、被写体の大きさを計測し、印画紙表面で実物大となるように大きさを調節して焼き付けるといった方法が用いられている。このような技術を用いることにより、例えば、被写体の大きさを画像から読みとることなどができる。
【０００５】
【発明が解決しようとする課題】
しかしながら、写真機、映画撮影機、ビデオカメラなどの従来の画像を撮影する装置では、被写体を画像として記録することを目的としているため、被写体の大きさを記録し、実物大に表示することはできなかった。また、従来実物大写真を製作する技術では、自動的に被写体の大きさを計測することができなかったため、撮影とは別に被写体の大きさを計測する必要があり、また、動画を撮影表示することができなかった。
【０００６】
また、表示面で正確に実物大となることを目的としていたため、人間が実物を見た場合に感じる大きさと、若干印象が異なる場合が存在した。その差異の要因としては、例えば、背景色と被写体の色の関係、表示面の大きさ、被写体の向き、及び観察者と画面の位置関係等が考えられ、また、個人の感じ方の違いも主要な要因である。このような大きさの感じ方の差異が存在するために、正確に実物大に表示した画像が必ずしも実物大に感じられないという問題があった。
【０００７】
本発明の目的は、画像入出力装置において、表示画面上に実物大で表示することが可能な技術を提供することにある。
本発明の他の目的は、実物を見た場合に近い大きさの感じ方を、画像を撮影したユーザと画像を観察するユーザとの間で共有することが可能な技術を提供することにある。
本発明の前記ならびにその他の目的と新規な特徴は、本明細書の記述及び添付図面によって明らかにする。
【０００８】
【課題を解決するための手段】
本願において開示される発明の概要を簡単に説明すれば、下記の通りである。
（１）被写体を撮影する撮影手段と、該撮影手段から被写体までの距離を計測する距離計測手段と、前記撮影手段の撮影レンズ画角と被写体までの距離に基づいて実物大表示するための画像全体の表示サイズを計算する表示サイズ計算手段と、前記計算された実物大表示するための画像全体の画像表示サイズを画像情報と合わせて記録する画像記録手段と、前記撮影手段によって撮影された画像を前記計算された実物大表示サイズで表示する画像表示手段とを具備することを特徴とする。
【０００９】
（２）被写体を撮影する撮影手段と、撮影手段で撮影された画像を記録する画像記録手段と、表示される画像全体の表示サイズをユーザの操作で調整する表示サイズ調整手段とを備えた実物大画像入出力装置であって、大きさが既知の標準物体の画像を表示し、それが実物大に見えるようにユーザに前記表示サイズ調整手段にて調整させた場合の画像全体の表示サイズと、前記標準物体を真に実物大に表示する画像全体の表示サイズとの比率をユーザ毎にユーザ固有パラメータとして求め、記録するユーザ固有パラメータ記録手段と、撮影者が調整した画像全体の表示サイズを、該撮影者のユーザ固有パラメータで除し、観察者のユーザ固有パラメータを乗ずることにより、画像全体の表示サイズを補正する補正表示サイズ算出手段とを有し、前記補正された画像全体の表示サイズにて画像を表示することを特徴とする。
【００１０】
（３）被写体を撮影する撮影過程と、該撮影過程から被写体までの距離を計測する距離計測過程と、前記撮影過程の撮影レンズ画角と被写体までの距離に基づいて実物大表示するための画像全体の表示サイズを計算する表示サイズ計算過程と、前記計算された実物大表示するための画像全体の画像表示サイズを画像情報と合わせて記録する画像記録過程と、前記撮影過程によって撮影された画像を前記計算された実物大表示サイズで表示する画像表示過程とを具備することを特徴とする実物大画像入出力方法である。
【００１１】
（４）被写体を撮影する撮影手段と、撮影過程で撮影された画像を記録する画像記録手段と、表示される画像全体の表示サイズをユーザの操作で調整する表示サイズ調整手段とを備えた実物大画像入出力装置における実物大画像入出力方法であって、大きさが既知の標準物体の画像を表示し、それが実物大に見えるようにユーザに前記表示サイズ調整過程にて調整させた場合の画像全体の表示サイズと、前記標準物体を真に実物大に表示する画像全体の表示サイズとの比率をユーザ毎にユーザ固有パラメータとして求め、記録するユーザ固有パラメータ記録過程と、撮影者が調整した画像全体の表示サイズを、該撮影者のユーザ固有パラメータで除し、観察者のユーザ固有パラメータを乗ずることにより、画像全体の表示サイズを補正する補正表示サイズ算出過程とを有し、前記補正された画像全体の表示サイズにて画像を表示することを特徴とする。
【００１２】
（５）前記（３）の実物大画像入出力方法の処理手順をコンピュータに実行させるためのプログラムを記録した記録媒体であって、被写体を撮影する撮影手順と、該撮影手順から被写体までの距離を計測する距離計測手順と、前記撮影手順の撮影レンズ画角と被写体までの距離に基づいて実物大表示するための画像全体の表示サイズを計算する表示サイズ計算手順と、前記計算された実物大表示するための画像全体の画像表示サイズを画像情報と合わせて記録する画像記録手順と、前記撮影手順によって撮影された画像を前記計算された実物大表示サイズで表示する画像表示手順とをコンピュータに実行させるためのプログラムを記録した記録媒体である。
【００１３】
（６）前記（４）の実物大画像入出力方法の処理手順をコンピュータに実行させるためのプログラムを記録した記録媒体であって、大きさが既知の標準物体の画像を表示し、それが実物大に見えるようにユーザに前記表示サイズ調整過程にて調整させた場合の画像全体の表示サイズと、前記標準物体を真に実物大に表示する画像全体の表示サイズとの比率をユーザ毎にユーザ固有パラメータとして求め、記録するユーザ固有パラメータ記録手順と、撮影者が調整した画像全体の表示サイズを、該撮影者のユーザ固有パラメータで除し、観察者のユーザ固有パラメータを乗ずることにより、画像全体の表示サイズを補正する補正表示サイズ算出手順とをコンピュータに実行させるためのプログラムを記録した記録媒体である。
【００１６】
【発明の実施の形態】
以下、図面を参照して本発明の実施の形態（実施例）を詳細に説明する。
（実施例１）
図１は、本発明の実施例１の実物大画像入出力装置の全体の概略構成を示す模式構成図である。１０１は撮影手段１０１Ａと距離計測手段１０１Ｂとからなる画像撮影部、１０２は被写体、１０３は撮影手段１０１Ａが出力する画像信号、１０４は画像撮影部１０１の距離計測手段１０１Ｂが出力する被写体までの距離情報及び撮影手段１０１Ａの画角情報、１０５は表示サイズ計算手段（ＣＰＵ）、１０６は画像情報記憶装置（メモリ装置）、１０７は表示サイズ計算手段（ＣＰＵ）１０５が出力する表示画像信号、１０８は表示サイズ計算手段（ＣＰＵ）１０５が出力する表示サイズ情報、１０９は表示手段である。
【００１７】
本実施例１では、前記撮影手段１０１Ａとしては、例えば、ビデオカメラを用い、距離計測手段１０１Ｂとしては、例えば、超音波距離測定装置を用い、画像表示手段１０９としては、例えば、投影倍率を変更可能なズームレンズを備えるビデオプロジェクタ１０９Ａと投影スクリーン１０９Ｂを用いる。
【００１８】
前記画像撮影部１０１から出力する画像信号１０３と距離・画角情報１０４は、表示サイズ計算手段（ＣＰＵ）１０５に入力され、表示サイズ計算手段（ＣＰＵ）１０５は、被写体１０２を実物大に表示するための画像表示サイズを計算する。表示サイズ計算手段（ＣＰＵ）１０５が出力する表示画像信号１０７と表示画像サイズ情報１０８は、画像表示手段１０９に入力され、投影表示される（ビデオ画像表示手段１０９のプロジェクタ１０９Ａに入力され、投影スクリーン１０９Ｂに投影表示される）。画像表示手段１０９（ビデオプロジェクタ１０９Ａ）は投影面（投影スクリーン１０９Ｂ）までの距離情報に基づいて表示画像信号１０７が投影面上で表示サイズ情報の大きさとなるように投影レンズの画角を調整する。
【００１９】
表示サイズ計算手段（ＣＰＵ）１０５は、被写体１０２までの距離と撮影レンズの画角に基づいて画像撮影部の光軸に垂直で被写体を含む平面における画像撮影部１０１の撮影範囲の幅Ｗを求める。画像表示手段１０９（ビデオプロジェクタ１０９Ａ）によって画像の幅がＷとなるように投影することにより、画像に含まれる被写体１０２が投影面上で実物大に表示される。
【００２０】
図２は、前記本実施例１の画像撮影部１０１の概略構成を示す模式構成図である。画像撮影部１０１の超音波距離測定装置１０１Ｂは、超音波パルスを発射し、それが被写体１０２に反射して戻ってくるまでの往復時間を計測し、超音波パルスの往復時間に基づいて被写体１０２までの距離を計算する。本実施例１の画像撮影部１０１では、超音波距離測定装置１０１Ｂの測定軸とビデオカメラ１０１の測定軸を平行に設置し、また、互いに出来るだけ近接して設置することにより、ビデオカメラ１０１の撮影領域の中心付近の被写体１０２までの距離を計測する。
【００２１】
図３は、本実施例１の画像撮影部１０１と被写体１０２までの距離を示す模式図である。図３において、超音波距離測定装置１０１Ｂによって計測される被写体１０２までの距離は符号ｄで表記されている。
【００２２】
図４は、本実施例１の実物大画像入出力装置で表示サイズＷを求める方法を説明するための模式図であり、１１０は画像撮影部１０１の撮影する範囲である。表示サイズＷは、画像撮影部１０１の光軸に垂直で被写体１０２を含む平面における画像撮影部１０１の撮影範囲１１０の幅として求められる。撮影画角を図４に示すようにθとすると、Ｗは被写体１０２までの距離ｄと撮影画角θに基づいてＷ＝２・ｄ・ｔａｎ（θ／２）として求めることができる。
【００２３】
また、前記画像信号１０３と距離・画角情報１０４を合わせて画像情報記憶装置（メモリ装置）１０６に記録し、画像表示時に表示サイズ計算手段（ＣＰＵ）１０５によって実物大表示するために表示サイズ情報１０８を計算し表示する。また、前記画像信号１０３と距離・画角情報１０４に基づいて表示サイズ計算計算手段（ＣＰＵ）１０５によって表示サイズ情報１０８を計算し、画像と合わせて画像情報記憶装置（メモリ装置）１０６に記録し、画像表示時には記録された表示サイズ情報１０８に基づいて表示する。
【００２４】
以上説明したように、本実施例１によれば、画像を撮影するのと同時に被写体１０２までの距離を測定し、レンズの画角情報と合わせて記録または伝送することにより、前記画像を表示する際に、前記記録または伝送された距離情報とレンズの画角情報に基づいて画像に含まれる被写体１０２を、表示画面上に実物大表示することができる。
【００２５】
（実施例２）
図５は、本発明の実施例２の実物大画像入出力装置における補正装置の全体概略構成を示す模式構成図である。２０１は被写体、２０２は実物大画像撮影装置、２０３は実物大画像撮影装置２０２が出力する大きさ情報付き画像信号、２０４は、全体の動作の制御を行う制御装置、２０５は制御装置２０４が出力する大きさ情報付き画像信号、２０６は大きさ情報付き画像信号２０５の大きさ情報に従って画像を表示する可変倍率ビデオプロジェクタ、２０７は可変倍率ビデオプロジェクタ２０６によって投影表示される投影画像、２０８はユーザ、２０９はユーザ２０８が操作し投影画像の表示サイズを調節するコントロールパネル、２１０はユーザ固有パラメータ記録装置である。
【００２６】
本実施例２の実物大画像入出力装置では、実物大画像撮影装置２０２と制御装置２０４と可変倍率ビデオプロジェクタ２０６によって実物大画像入出力装置が構成され、被写体２０１が表示面上で実物大となるように表示される。
【００２７】
図６は本実施例２の実物大画像入出力装置における補正装置の動作の流れを示す図である。上から下に向けて順に動作が進む。
【００２８】
最初に準備段階として、ユーザ（撮影者）２０８のユーザＡ、Ｂそれぞれのユーザ固有パラメータを測定し、ユーザ固有パラメータ記録装置２１０に記録する。準備段階では、図５の構成において、被写体２０１として大きさが既知の標準物体を用い、可変倍率ビデオプロジェクタ２０６によって表示面上に実物大で表示されるように画像を表示する。ユーザ２０８は、被写体２０１と投影画像２０７を見比べて、見た目の大きさが異なって感じられる場合にはコントロールパネル２０９を操作して投影画像の大きさを調節する。コントロールパネル２０９が出力する制御信号は、制御装置２０４を介して可変倍率ビデオプロジェクタ２０６の投影倍率を制御し、投影画像２０７の大きさを変更する。ユーザ２０８は調整が終わると、コントロールパネル２０９を操作して調整が終わったことを制御装置２０４に指示する。制御装置２０４はユーザ２０８の調整終了の指示により、その時の画像表示サイズＷｓとあらかじめ大きさが分かっている標準物体を実物大で表示面上に表示する画像表示サイズＷｔとの比（Ｗｓ／Ｗｔ）をそのユーザ２０８のユーザ固有パラメータＰ（ｕｓｅｒ）としてユーザ固有パラメータ記録装置２１０に記録する。説明のために、送り手のユーザ（撮影者）Ａをｓｅｎｄｅｒ、受け手のユーザＢをｒｅｃｅｉｖｅｒと表記することとすると、図６においては、ユーザ（撮影者）Ａ、ユーザ（観察者）Ｂそれぞれに対してＰ（ｓｅｎｄｅｒ）、Ｐ（ｒｅｃｅｉｖｅｒ）を記録する。本発明の装置を実際に使用する場合には、使用するユーザ２０８全てに対してユーザ固有パラメータを求め記録する。
【００２９】
次に、撮影段階として被写体を撮影する。撮影段階においては、撮影対象となる物体を被写体２０１として用いる。実物大画像撮影装置２０２と制御装置２０４と可変倍率ビデオプロジェクタ２０６によって構成される実物大画像人出力装置によって、被写体２０１の画像が表示面上に実物大表示される。このときの画像表示サイズをＷｓ（ｐｉｃｔ）とする。表示された画像は、（１）実物大画像撮影装置の測定誤差、（２）被写体の向きや色などによる影響、（３）ユーザ固有の大きさの感じ方の傾向性の影響などの要因により、ユーザ２０８には実物大に感じられない可能性がある。そこで、送り手のユーザ２０８は、被写体２０１と投影画像２０７を比較し、見た目の大きさが等しくなるようにコントロールパネル２０９を操作して投影画像２０７の画像表示サイズを調節する。ユーザ２０８は調整が終わると、コントロールパネル２０９を操作して調整が終わったことを制御装置２０４に指示する。制御装置２０４はユーザの調整終了の指示により、その時の画像表示サイズＷｓ（ｐｉｃｔ、ｓｅｎｄｅｒ）を撮影した画像と合わせて記録する。  最後に、表示段階として画像表示サイズを計算し画像を表示する。画像表示サイズは、撮影段階で記録された調整後の画像表示サイズＷｓ（ｐｉｃｔ、ｓｅｎｄｅｒ）に、送り手と受け手のユーザ固有パラメータの比Ｐ（ｒｅｃｅｉｖｅｒ）／Ｐ（ｓｅｎｄｅｒ）を乗ずることにより求める。このような計算で受け手のユーザＢが見た目に実物大と感じられる画像表示サイズを計算できることを次に説明する。
【００３０】
撮影段階で記録された調整後の画像表示サイズＷｓ（ｐｉｃｔ、ｓｅｎｄｅｒ）は、Ｗｓ（ｐｉｃｔ）に対して前述の（１）実物大画像撮影装置の測定誤差と、（２）被写体の向きや色などによる影響と、（３）ユーザ固有の大きさの感じ方の傾向性の影響等を補正して送り手ユーザＡにとって見た目が実物大となる画像表示サイズである。これらの要因のうち、（１）実物大画像撮影装置の測定誤差と、（２）被写体の向きや色などによる影響の２つの要因については、送り手のユーザＡと受け手のユーザＢで共通に存在し補正されるべき要因なので、送り手のユーザＡが行った調整による補正をそのまま利用し、（３）ユーザ固有の大きさの感じ方の傾向性の影響に対して、送り手と受け手の間の個人的な感じ方の差異を計算により補正する。
【００３１】
準備段階で求めたユーザ固有パラメータでは、大きさが既知の標準物体を撮影した標準画像を用いるので、（１）実物大画像撮影装置の測定誤差の影響は無いが、（２）被写体の向きや色などによる影響はあると考えられる。しかし、同じ標準画像に対して各ユーザの固有パラメータを求めているので、ユーザ固有パラメータ間の比Ｐ（ｕｓｅｒＢ）／Ｐ（ｕｓｅｒＡ）では標準画像固有の成分が相殺され、ユーザ間の大きさの感じ方の傾向性の差異のみを示す値となる。
【００３２】
Ｗｓ（ｐｉｃｔ、ｓｅｎｄｅｒ）の送り手ユーザ固有の傾向性を影響を除くためにＰ（ｓｅｎｄｅｒ）で除し、受け手ユーザ固有の傾向性を付加するためにＰ（ｒｅｃｅｉｖｅｒ）を乗ずることにより、受け手ユーザにとって、見た目が実物大となる画像表示サイズを求めることができる。つまり、受け手ユーザにとって、見た目が実物大となる画像表示サイズＷｓ（ｐｉｃｔ、ｒｅｃｅｉｖｅｒ）は、Ｗｓ（ｐｉｃｔ、ｒｅｃｅｉｖｅｒ）＝Ｗｓ（ｐｉｃｔ、ｓｅｎｄｅｒ）×Ｐ（ｒｅｃｅｉｖｅｒ）／Ｐ（ｓｅｎｄｅｒ）で求めることができる。
【００３３】
前記のような手順により実物大に感じられるように表示することができるが、画像表示段階において、送り手ユーザＡが誰であるかという情報を基に、送り手ユーザＡのユーザ固有パラメータＰ（sender）を参照する必要性を除くために、撮影段階で画像を撮影し調整を行った後に、調整後の画像表示サイズＷｓ（pict、sender）の代わりに、Ｗｓ（pict）＝Ｗｓ（pict、sender）／Ｐ（sender）を記録する。画像を表示する時には、受け手ユーザＢのユーザ固有パラメータＰ（receiver）を乗ずることにより、Ｗｓ（pict）×Ｐ（receiver）として画像表示サイズを求めることができる。また、受け手ユーザが代わっても同様に、その受け手ユーザＢのユーザ固有パラメータＰ（receiverＢ）として画像表示サイズを求めることができる。
【００３４】
以上説明したように、本実施例２によれば、撮影時にユーザ２０８に画像の大きさを調節させる機会を与えることと、標準画像を用いて求めたユーザ固有パラメータの比を調節後の画像サイズに乗ずることにより、被写体２０１の向きや色などの画像固有の要因の影響を補正する成分を保存したまま、ユーザ２０８間の大きさの感じ方の差異を相殺することができるので、実物を見た場合に近い大きさの感じ方を、画像を撮影したユーザ２０８と画像を観察するユーザ２０８との間で共有することができる。
【００３５】
以上、本発明を実施例に基づき具体的に説明したが、本発明は前記実施例に限定されるものではなく、その要旨を逸脱しない範囲において種々変更し得ることはいうまでもない。
【００３６】
【発明の効果】
以上の説明からわかるように、本発明によれば、画像を撮影するのと同時に被写体までの距離を測定し、レンズの画角情報と合わせて記録または伝送することにより、その画像を表示する際に、前記記録または伝送された距離情報とレンズの画角情報を基づいて画像に含まれる被写体を、表示画面上に実物大で表示することができる。
また、撮影時にユーザに画像の大きさを調節させる機会を与えることと、標準画像を用いて求めたユーザ固有パラメータの比を調節後の画像サイズに乗ずることにより、被写体の向きや色などの画像固有の要因の影響を補正する成分を保存したまま、ユーザ間の大きさの感じ方の差異を相殺することができるので、実物を見た場合に近い大きさの感じ方を、画像を撮影したユーザと画像を観察するユーザとの間で共有することができる。
【図面の簡単な説明】
【図１】本発明の実施例１の実物大画像入出力装置の全体の概略構成を示す模式構成図である。
【図２】本実施例１の画像撮影部の概略構成を示す模式構成図である。
【図３】本実施例１の画像撮影部と被写体までの距離を示す模式図である。
【図４】本実施例１の実物大画像入出力装置で表示サイズを求める方法を説明するための模式図である。
【図５】本発明の実施例２の実物大画像入出力装置における補正装置の全体概略構成を示す模式構成図である。
【図６】本実施例２の実物大画像入出力装置における補正装置の動作の流れを示す図である。
【符号の説明】
１０１…画像撮影部、１０１Ａ…撮影手段、１０１Ｂ…距離計測手段、１０２…被写体、１０３…撮影手段の出力画像信号、１０４…距離計測手段の出力画角情報、１０５…表示サイズ計算手段（ＣＰＵ）、１０６…画像情報記憶装置（メモリ装置）、１０７…表示サイズ計算手段（ＣＰＵ）の出力表示画像信号、１０８…表示サイズ計算手段（ＣＰＵ）の出力表示サイズ情報、１０９…表示手段、１１０…画像撮影部の撮影する範囲、２０１…被写体、２０２…実物大画像撮影装置、２０３…実物大画像撮影装置の出力画像信号、２０４…全体の動作の制御を行う制御装置、２０５…制御装置の出力画像信号、２０６…可変倍率ビデオプロジェクタ、２０７…投影画像、２０８…ユーザ、２０９…コントロールパネル、２１０…ユーザ固有パラメータ記録装置。
【図１】
0003586126.tif 000002
【図２】
0003586126.tif 000003
【図３】
0003586126.tif 000004
【図４】
0003586126.tif 000005
【図５】
0003586126.tif 000006
【図６】
0003586126.tif 000007